(57)【要約】【課題】  ぼんやりとした画像を簡易に表示させる。【解決手段】  外壁部Ｂに設けられた窓部Ｃ１に拡散シート４０、透過型液晶パネル３０およびプリズムシート２０をはめ込み、このプリズムシート２０の背面上における最大照度に対する最小照度の割合により求まる照度比が０．２以上、かつ０．７以下になるようにランプ１０を配置する。【選択図】  図２
2005181536.tif 000002
【特許請求の範囲】
【請求項１】
開口部を有する筐体と、
前記開口部にはめ込まれ、画像を表示する透過型画像表示素子と、
前記透過型画像表示素子の背面側に光を照射する光源とを備え、
前記光源は、光を発するランプであり、前記透過型画像表示素子の背面上における最大照度に対する最小照度の割合により求まる照度比が０．７以下になるように前記筐体の内部に配置されることを特徴とする画像表示装置。
【請求項２】
前記光源は、ろうそくの炎の揺れを模した光を発するランプであることを特徴とする画像表示装置。
【請求項３】
前記照度比は、０．２以上であることを特徴とする請求項１または２記載の画像表示装置。
【請求項４】
前記透過型画像表示素子の背面側に配置されるプリズムシートをさらに備えることを特徴とする請求項１〜３のいずれか１項に記載の画像表示装置。
【請求項５】
前記透過型画像表示素子の前面側に配置される拡散シートをさらに備えることを特徴とする請求項４記載の画像表示装置。
【請求項６】
開口部を有する筐体と、
前記開口部にはめ込まれ、画像を表示する透過型画像表示素子と、
前記筐体の内部に配置され、前記透過型画像表示素子の背面側に光を照射する光源と、
前記透過型画像表示素子の前面側に配置される拡散シートとを備え、
前記拡散シートと前記透過型画像表示素子との間に、当該透過型画像表示素子の一の画素の大きさに対応する所定の距離の隙間を設ける
ことを特徴とする画像表示装置。
【請求項７】
前記所定の距離は、前記一の画素の大きさの１０倍から５０倍であることを特徴とする請求項６記載の画像表示装置。
【請求項８】
前記透過型画像表示素子の背面側に配置されるプリズムシートをさらに備えることを特徴とする請求項６または７記載の画像表示装置。
【請求項９】
前記請求項１〜８のいずれか１項に記載の画像表示装置を備えることを特徴とする玩具。
【請求項１０】
前記筐体の外観は住居の外観を模したものであり、前記開口部は前記住居の窓枠を模したものであり、前記透過型画像表示素子は前記住居の窓を模したものであることを特徴とする請求項９記載の玩具。
【発明の詳細な説明】
【技術分野】
【０００１】
本発明は、画像表示装置およびこれを用いた玩具に関する。
【背景技術】
【０００２】
下記特許文献１には、バックライト光源に特殊な光反射シートを用いることで発光面内での輝度ムラや色ムラを押さえる透過型液晶ディスプレイ装置に関する技術が開示されている。
【特許文献１】特開２００２−２５８０２２号公報
【発明の開示】
【発明が解決しようとする課題】
【０００３】
ところで、上記特許文献１に記載されているように、通常の液晶ディスプレイ装置においては、シャープでクリアな液晶画面を実現するための技術が開発されている。したがって、ぼんやりとした画像を表示させる技術については、従来、積極的に開発されていなかった。
【０００４】
そこで、本発明は、上述した課題を解決するために、ぼんやりとした画像を簡易に表示させることができる画像表示装置およびこれを用いた玩具を提供することを目的とする。
【課題を解決するための手段】
【０００５】
本発明の画像表示装置は、開口部を有する筐体と、開口部にはめ込まれ、画像を表示する透過型画像表示素子と、透過型画像表示素子の背面側に光を照射する光源とを備え、上記光源は、光を発するランプであり、透過型画像表示素子の背面上における最大照度に対する最小照度の割合により求まる照度比が０．７以下になるように筐体の内部に配置されることを特徴とする。
【０００６】
この発明によれば、画像表示装置の筐体の開口部に透過型画像表示素子がはめ込まれ、この透過型画像表示素子の背面上における照度比が０．７以下になるようにランプが配置されることによって、透過型画像表示素子に表示される画像を、ランプが発する光を受けながらぼんやりと表示させることができる。すなわち、ぼんやりとした画像を簡易に表示させることができる。
【０００７】
本発明の画像表示装置において、上記光源は、ろうそくの炎の揺れを模した光を発するランプであることが好ましい。このようにすれば、透過型画像表示素子に表示される画像を、ランプが発する光による揺らぎの影響を受けながらぼんやりと表示させることができる。すなわち、揺らぎ効果が高まり、ぼんやりとして、かつ揺らぎのある画像を簡易に表示させることができる。
【０００８】
本発明の画像表示装置において、上記照度比は、０．２以上であることが好ましい。このようにすれば、透過型画像表示素子の暗い部分に映し出される画像の視認性が向上する。
【０００９】
本発明の画像表示装置において、透過型画像表示素子の背面側に配置されるプリズムシートをさらに備えることが好ましい。このように、プリズムシートを透過型画像表示素子の背面側に配置することにより、ランプから照射された光の強さ（明るさ）が増大するため、消費電力を節減することができる。
【００１０】
本発明の画像表示装置において、透過型画像表示素子の前面側に配置される拡散シートをさらに備えることが好ましい。このように、拡散シートを透過型画像表示素子の前面側に配置することにより、プリズムシートを透過した光によって引き伸ばされた画像を見やすくすることができる。
【００１１】
また、本発明の画像表示装置は、開口部を有する筐体と、開口部にはめ込まれ、画像を表示する透過型画像表示素子と、筐体の内部に配置され、透過型画像表示素子の背面側に光を照射する光源と、透過型画像表示素子の前面側に配置される拡散シートとを備え、拡散シートと透過型画像表示素子との間に、当該透過型画像表示素子の一の画素の大きさに対応する所定の距離の隙間を設けることを特徴とする。
【００１２】
この発明によれば、画像表示装置の筐体の開口部に透過型画像表示素子がはめ込まれ、この透過型画像表示素子の前面側に、当該透過型画像表示素子の一の画素の大きさに対応する所定の距離の隙間を設けて拡散シートが配置されることにより、透過型画像表示素子に表示される画像をぼんやりと表示させることができる。すなわち、ぼんやりとした画像を簡易に表示させることができる。
【００１３】
本発明の画像表示装置において、上記所定の距離は、前記一の画素の大きさの１０倍から５０倍であることが好ましい。このようにすれば、透過型画像表示素子の表示される画像を、よりぼんやりと表示させることができる。また、本発明の画像表示装置において、透過型画像表示素子の背面側に配置されるプリズムシートをさらに備えることが好ましい。このように、プリズムシートを透過型画像表示素子の背面側に配置することにより、ランプから照射された光の強さ（明るさ）が増大するため、消費電力を節減することができる。
【発明の効果】
【００１４】
本発明に係る画像表示装置およびこれを用いた玩具によれば、ぼんやりとした画像を簡易に表示させることができる。
【発明を実施するための最良の形態】
【００１５】
以下、本発明に係る画像表示装置の各実施形態を図面に基づき説明する。なお、各図において、同一要素には同一符号を付して重複する説明を省略する。
【００１６】
[第１実施形態]
まず、本発明の第１実施形態について説明する。図１は、第１実施形態における画像表示装置を用いた住居型玩具１を正面から見た場合の外観図である。図１に示す住居型玩具１は、画像表示装置の筐体を住居の形に模した玩具であり、屋根部Ａと、外壁部Ｂと、窓部Ｃ１，Ｃ２とに大別される。具体的には、屋根部Ａおよび外壁部Ｂにより画像表示装置の筐体が構成されている。また、窓部Ｃ１，Ｃ２は、後述する拡散シート、透過型液晶パネル（透過型画像表示素子）およびプリズムシートにより構成されており、これらは外壁部Ｂに設けられた窓枠（筐体の開口部）にはめ込まれている。
【００１７】
次に、図２を参照して画像表示装置を用いた住居型玩具１の内部構成を説明する。図２は、図１のII−II断面矢視図である。なお、図２に示す構成図を簡略化するために、図１に示す窓部Ｃ２の構成については省略する。
【００１８】
図２に示すように、住居型玩具１は、ランプ１０と、プリズムシート２０と、透過型液晶パネル３０と、拡散シート４０と、制御部５０と、記憶部６０とを有する。なお、拡散シート４０、透過型液晶パネル３０およびプリズムシート２０により、窓部Ｃ１が構成されている。
【００１９】
ランプ１０は、住居型玩具１の光源であり、ろうそくの炎の揺れを模した光を発する。すなわち、ランプ１０から発光される光は、ろうそくの炎のようにゆらゆらとした揺らぎを有する。
【００２０】
プリズムシート２０は、後方から受けた光源の光の利用効率を高めるレンズシートであり、ランプ１０から照射された光の強さ（明るさ）を増大させる機能を有する。
【００２１】
透過型液晶パネル３０は、ランプ１０の光を背面側（住居の内部側）から透過させ、この透過させる光を制御することにより液晶パネル上に画像を表示させる。
【００２２】
拡散シート４０は、光を散乱・拡散させる機能を有するシートである。拡散シート４０を、透過型液晶パネル３０の前面側（住居の外部側）に配置することにより、プリズムシート２０を透過した光によって引き伸ばされた画像を見やすくすることができる。また、拡散シート４０を、透過型液晶パネル３０から離れた位置に備えることにより、画像をぼかす機能が高まり、映像効果が向上する。
【００２３】
制御部５０は、記憶部６０に格納されている各種プログラムを実行することにより画像表示装置１の各部を制御する機能を有する。制御部５０が有する機能の一つとして、記憶部６０から画像データを読み出して、この画像データに対応する画像を透過型液晶パネル３０上に表示させる機能がある。なお、透過型液晶パネル３０に表示させる画像は、静止画像であっても動画像であってもよく、また、白黒画像であってもカラー画像であってもよい。
【００２４】
次に、図３を参照してランプ１０の光が照射される窓部Ｃ１の背面上における照度比について説明する。図３に示すように、窓部Ｃ１の背面上には、ランプ１０の光が比較的多く照射される明るい部分ｅと、あまり照射されない暗い部分ｆとが存在する。一般に、照度比は、最大照度に対する最小照度の割合により求められる。これと同様に、本実施形態におけるランプ１０の光による照度比も、明るい部分ｅに存在する最大照度に対する暗い部分ｆに存在する最小照度の割合により求められる。
【００２５】
次に、図２に示すランプ１０が配置される場所について説明する。図２に示すように、ランプ１０は、上述した照度比が０．２以上かつ０．７以下になるように、ランプ１０とプリズムシート２０の背面との間の距離ｄが調整されることで、配置場所が決定される。ここで、照度比を０．７以下に設定することにより、ランプ１０の光による揺らぎを、窓部Ｃ１を通してより顕著に視認させることができるようになる。また、照度比を０．２以上に設定することにより、暗い部分ｆに映し出される画像を視認させることが可能となる。
【００２６】
以上のように、第１実施形態における画像表示装置を用いた住居型玩具１では、外壁部Ｂに設けられた窓枠（開口部）に透過型液晶パネル３０をはめ込み、この透過型液晶パネル３０の背面上における照度比が０．７以下になるようにランプ１０を配置しているため、透過型液晶パネル３０に表示される画像を、ランプ１０が発する光による揺らぎの影響を受けながらぼんやりと表示させることができる。すなわち、第１実施形態における画像表示装置を用いた住居型玩具１により、ぼんやりとして、かつ揺らぎのある画像を簡易に表示させることができる。
【００２７】
なお、上述した第１実施形態において、窓Ｃ１は、拡散シート４０、透過型液晶パネル３０およびプリズムシート２０により構成されているが、これに限られず、例えば、透過型液晶パネル３０のみにより構成されていてもよい。ただし、透過型液晶パネル３０の背面側（住居の内部側）にプリズムシート２０を配置することにより、ランプ１０から照射された光の強さ（明るさ）を増大させることができるため、消費電力を節減することができる。また、透過型液晶パネル３０の前面側（住居の外部側）に拡散シート４０を配置することにより、プリズムシート２０を透過した光によって引き伸ばされた画像を見やすくすることができる。
【００２８】
また、上述した第１実施形態においては、本発明に係る画像表示装置の適用例として、画像表示装置を用いた住居型玩具１について説明しているが、本発明に係る画像表示装置の適用例は、住居型玩具に限られない。例えば、自動車や船等を模した乗物型玩具、時限爆弾を模した玩具あるいは目覚まし時計にも適用可能である。また、ディスプレイ付きの壁掛け、壁等に埋め込むことが可能なディスプレイ付き装置あるいは置物等の鑑賞用オブジェにも適用可能である。つまり、筐体にある開口部に透過型画像表示素子をはめ込み、筐体の内部にろうそくの炎の揺れを模した光を発光するランプを配置することによって、透過型画像表示素子に映し出される画像をぼんやりとして、かつ揺らぎのある画像にすることができればよい。
【００２９】
また、上述した第１実施形態においては、光源として、ろうそくの炎の揺れを模した光を発光するランプを用いているが、光源をこのようなランプに限定する必要はない。例えば、揺らぎのない光を発光する一般的なランプであってもよく、この場合には、透過型液晶パネル３０に表示される画像を、ランプが発する光を受けながらぼんやりと表示させることができる。すなわち、ぼんやりとした画像を簡易に表示させることができる。
【００３０】
[第２実施形態]
次に、本発明の第２実施形態における画像表示装置を用いた住居型玩具について説明する。まず、第２実施形態における住居型玩具を正面から見た場合の外観図は、第１実施形態において説明した図１に示す外観図と同様であるため、その説明を省略する。次に、図４を参照して第２実施形態における住居型玩具２の内部構成について説明する。第２実施形態における住居型玩具２の内部構成が、第１実施形態における住居型玩具１の内部構成と異なる点は、第１実施形態における住居型玩具１のランプ１０は、ろうそくの炎の揺れを模した光を発光するのに対し、第２実施形態における住居型玩具２のランプ１０ｓは、揺らぎのない光を発光する一般的なランプである点である。また、第１実施形態における住居型玩具１では、ランプ１０とプリズムシート２０の背面との間の距離ｄに特徴があったのに対し、第２実施形態における住居型玩具２では、透過型液晶パネル３０の前面と拡散シート４０の背面との間の距離ｄｓに特徴がある点においても異なる。したがって、それ以外の構成は、第１実施形態における住居型玩具１の構成と同様であるので、各構成要素には同一の符合を付しその説明は省略すると共に、以下において第１実施形態との相違点について詳述する。
【００３１】
ランプ１０ｓは、住居型玩具２の光源として使用できるランプであればよく、ランプの種類についてまでは特に限定する必要はない。
【００３２】
透過型液晶パネル３０の前面と拡散シート４０の背面との間には、所定の距離ｄｓだけ隙間が設けられる。ここで、所定の距離ｄｓについて以下に説明する。この所定の距離ｄｓは、透過型液晶パネル３０の一の画素の大きさに対応して決まるものである。具体的に説明すると、例えば、距離ｄｓは、透過型液晶パネル３０の一の画素の大きさの１０倍から５０倍であることが好ましく、この一の画素の大きさは、例えば、以下に記載する式１により定まる。
【００３３】
｛（Ｌ１／Ｍ１）＋（Ｌ２／Ｍ２）｝／２  ・・・  （式１）
【００３４】
ここで、Ｌ１は、透過型液晶パネル３０の表示部の縦の長さ[ｍｍ]であり、Ｌ２は、透過型液晶パネル３０の表示部の横の長さ[ｍｍ]であり、Ｍ１は、透過型液晶パネル３０の表示部の縦方向の画素数であり、Ｍ２は、透過型液晶パネル３０の表示部の横方向の画素数である。したがって、例えば、透過型液晶パネル３０の表示部の寸法が、縦１５２．４[mm]、横９１．４[ｍｍ]であり、透過型液晶パネル３０の表示部の画素数が、縦方向８００ドット、横方向４００ドットである場合における一の画素の大きさは、上述した式１より以下のように求められる。
【００３５】
｛（１５２．４／８００）＋（９１．４／４００）｝＝０．２０９５[ｍｍ]
【００３６】
以上より、例えば、一の画素の大きさが０．２[ｍｍ]である場合には、距離ｄｓは、一の画素の大きさである０．２[ｍｍ]の１０倍から５０倍にあたる２〜１０[ｍｍ]であることが好ましいこととなる。
【００３７】
このように、透過型液晶パネル３０の前面と拡散シート４０の背面との間に、上述した所定の距離ｄｓを設けることにより、画像をぼかす機能が高まり、ぼんやりとした映像効果を向上させることができる。
【００３８】
なお、上述した第２実施形態において、窓Ｃ１は、拡散シート４０、透過型液晶パネル３０およびプリズムシート２０により構成されているが、これに限られず、例えば、拡散シート４０および透過型液晶パネル３０のみにより構成されていてもよい。ただし、透過型液晶パネル３０の背面側（住居の内部側）にプリズムシート２０を配置することにより、ランプ１０ｓから照射された光の強さ（明るさ）を増大させることができるため、消費電力を節減することができる。
【００３９】
また、上述した第２実施形態においては、本発明に係る画像表示装置の適用例として、画像表示装置を用いた住居型玩具２について説明しているが、本発明に係る画像表示装置の適用例は、住居型玩具に限られない。例えば、自動車や船等を模した乗物型玩具、時限爆弾を模した玩具あるいは目覚まし時計にも適用可能である。また、ディスプレイ付きの壁掛け、壁等に埋め込むことが可能なディスプレイ付き装置あるいは置物等の鑑賞用オブジェにも適用可能である。つまり、筐体にある開口部に透過型画像表示素子および拡散シートをはめ込み、筐体の内部にランプを配置することによって、透過型画像表示素子に映し出される画像をぼんやりとした画像にすることができればよい。
【００４０】
また、上述した各実施形態においては、画像を表示する手段として透過型液晶パネルを用いているが、画像を表示する手段は、これに限られない。例えば、写真用のネガフィルムや、スライド用のリバーサルフィルム等の透過型画像表示素子であってもよい。ただし、透過型液晶パネルを用いた場合には、表示画像を、画像データに基づいて表示させることができるため、画像データを変更することにより容易に表示対象を変更させることができる。すなわち、透過型液晶パネル上に表示される画像は、画像データに基づいて表示されるため、画像データを変更することにより容易に表示対象を変更させることができる。したがって、画像データが動画像データである場合には、透過型液晶パネル上に動画を表示させることができる。
【００４１】
また、上述した各実施形態においては、記憶部６０に記憶されている画像データに基づいて透過型液晶パネル３０上に画像（表示対象）を表示させているが、透過型液晶パネル３０上に画像を表示させる方法はこれに限られない。例えば、ＤＶＤレコーダ等の画像データ読みとり装置を、画像表示装置に接続し、この画像データ読みとり装置により読みとられた画像データを用いて透過型液晶パネル３０に画像を表示させてもよい。これにより、ユーザの好みに応じた画像を容易に透過型液晶パネル３０上に表示させることができる。
【００４２】
次に、本発明の変形例における画像表示装置を用いた目覚まし時計の外観を図５に示す。図５に示す目覚まし時計３は、筐体の外観を住居に模した目覚まし時計であり、屋根部Ａと、外壁部Ｂと、窓部Ｃとに大別される。具体的には、屋根部Ａおよび外壁部Ｂにより画像表示装置の筐体が構成されている。また、窓部Ｃは、上述した拡散シート、透過型液晶パネル（透過型画像表示素子）およびプリズムシートにより構成されており、これらは外壁部Ｂに設けられた窓枠（筐体の開口部）にはめ込まれている。また、窓部Ｃの一部には、現在時刻を表示するための時刻表示部Ｃａが設けられている。この時刻表示部Ｃａは、拡散シートの前面側（住居の外部側）に装着されている。なお、この画像表示装置を用いた目覚まし時計３の内部構成は、上述した各実施形態における画像表示装置を用いた住居型玩具の内部構成と同様であるため、説明を省略する。このような目覚まし時計３の窓部Ｃには、ぼんやりとした影絵が映し出され、家の中の情景をよりリアルな雰囲気で模写することができる。したがって、時刻に合わせた家の中の情景を窓部Ｃに映し出す等の応用が考えられる。例えば、朝には、起き抜けの情景を表す影絵を映し出すこととしてもよいし、夜には、家族団らんの情景を表す影絵を映し出すこととしてもよい。
【図面の簡単な説明】
【００４３】
【図１】第１実施形態における画像表示装置を用いた住居型玩具を正面から見た場合の外観を示す図である。
【図２】図１のII−II断面矢視図であり、画像表示装置を用いた住居型玩具の内部構成を示す図である。
【図３】ランプの光が照射される窓部の背面上における照度比について説明するための図である。
【図４】第２実施形態における画像表示装置を用いた住居型玩具の内部構成を示す図である。
【図５】変形例における画像表示装置を用いた目覚まし時計の外観を示す図である。
【符号の説明】
【００４４】
１・・・住居型玩具、２・・・目覚まし時計、１０・・・ランプ、２０・・・プリズムシート、３０・・・透過型液晶パネル、４０・・・拡散シート、５０・・・制御部、６０・・・記憶部、Ａ・・・屋根部、Ｂ・・・外壁部、Ｃ，Ｃ１，Ｃ２・・・窓部。
【図１】
2005181536.tif 000003
【図２】
2005181536.tif 000004
【図３】
2005181536.tif 000005
【図４】
2005181536.tif 000006
【図５】
2005181536.tif 000007